(57)【要約】【課題】  簡単な構造で、低音側の鍵タッチ感よりも、高音側の鍵タッチ感を軽くすることができる鍵盤装置を提供する。【解決手段】  音階順に配列された複数の鍵２の各後端部にそれぞれ上下方向に撓み変形する複数の薄肉部１８を設け、この複数の薄肉部１８における鍵２の配列方向の各幅を低音側から高音側に向かうに従って狭くして、複数の薄肉部１８の各曲げ弾性力を低音側から高音側に向かうに従って小さくした。従って、複数の薄肉部１８の各幅を低音側から高音側に向かうに従って狭くするだけの簡単な構造で、複数の薄肉部１８の各曲げ弾性力を低音側から高音側に向かうに従って小さくすることができるので、複数の薄肉部１８が押鍵操作に応じてそれぞれ撓み変形して複数の鍵２がそれぞれ上下方向に回動する際に、低音側の鍵タッチ感よりも、高音側の鍵タッチ感を軽くすることができる。【選択図】        図５
2010271625.tif 000002
【特許請求の範囲】
【請求項１】
音階順に配列された複数の鍵の各後端部にそれぞれ上下方向に撓み変形する複数の薄肉部を設け、この複数の薄肉部が押鍵操作に応じてそれぞれ撓み変形して前記複数の鍵がそれぞれ上下方向に回動する鍵盤装置において、
前記複数の薄肉部は、前記鍵の配列方向の各幅を低音側から高音側に向かうに従って狭くして、前記複数の薄肉部の各曲げ弾性力が低音側から高音側に向かうに従って小さくなるように形成されていることを特徴とする鍵盤装置。
【請求項２】
前記複数の薄肉部は、前記鍵の配列方向の各幅が、１オクターブ分に相当する前記複数の鍵の配列単位ごとに、低音側から高音側に向かうに従って段階的に狭くなるように形成されていることを特徴とする請求項１に記載に鍵盤装置。
【請求項３】
前記複数の薄肉部は、前記鍵の配列方向の各幅が、１オクターブ分に相当する前記複数の鍵の配列範囲内において、低音側から高音側に向かうに従って次第に狭くなるように形成されていることを特徴とする請求項１に記載に鍵盤装置。
【請求項４】
前記複数の薄肉部の下面にそれぞれ当接して前記複数の薄肉部の撓み変形をそれぞれ規制するための複数の変形規制部を備えていることを特徴とする請求項１〜請求項３のいずれかに記載に鍵盤装置。
【請求項５】
前記複数の変形規制部は、前記複数の薄肉部に対する各変形規制力が低音側から高音側に向かうに従って小さくなるように形成されていることを特徴とする請求項４に記載に鍵盤装置。
【発明の詳細な説明】
【技術分野】
【０００１】
この発明は、電子ピアノなどの鍵盤楽器に用いられる鍵盤装置に関する。
【背景技術】
【０００２】
従来、鍵盤装置においては、特許文献１に記載されているように、音階順に配列された複数の鍵の各後端部にそれぞれ上下方向に撓み変形する複数の薄肉部を設けると共に、この複数の薄肉部をその肉厚が各鍵の前端側から後端側に向けて次第に薄くなるように形成し、この複数の薄肉部が押鍵操作に応じてそれぞれ撓み変形して各鍵がそれぞれ上下方向に回動するように構成されたものが知られている。
【先行技術文献】
【特許文献】
【０００３】
【特許文献１】特開２０００−６６６６０号公報
【発明の概要】
【発明が解決しようとする課題】
【０００４】
しかしながら、このような従来の鍵盤装置では、薄肉部をその肉厚が鍵の前端側から後端側に向けて次第に薄くなるように形成することにより、押鍵操作に伴う薄肉部の破壊強度を高めているが、音階順に配列された複数の鍵の各薄肉部が全て同じ形状に形成されているので、各鍵を押鍵操作した際に、低音側と高音側とで同じ鍵タッチ感になり、低音側の鍵タッチ感よりも、高音側の鍵タッチ感を軽くすることができないという問題がある。
【０００５】
この発明が解決しようとする課題は、簡単な構造で、低音側の鍵タッチ感よりも、高音側の鍵タッチ感を軽くすることができる鍵盤装置を提供することである。
【課題を解決するための手段】
【０００６】
この発明は、上記課題を解決するために、次のような構成要素を備えている。
請求項１に記載の発明は、音階順に配列された複数の鍵の各後端部にそれぞれ上下方向に撓み変形する複数の薄肉部を設け、この複数の薄肉部が押鍵操作に応じてそれぞれ撓み変形して前記複数の鍵がそれぞれ上下方向に回動する鍵盤装置において、前記複数の薄肉部は、前記鍵の配列方向の各幅を低音側から高音側に向かうに従って狭くして、前記複数の薄肉部の各曲げ弾性力が低音側から高音側に向かうに従って小さくなるように形成されていることを特徴とする鍵盤装置である。
【０００７】
請求項２に記載の発明は、前記複数の薄肉部における前記鍵の配列方向の各幅が、１オクターブ分に相当する前記複数の鍵の配列単位ごとに、低音側から高音側に向かうに従って段階的に狭くなるように形成されていることを特徴とする請求項１に記載に鍵盤装置である。
【０００８】
請求項３に記載の発明は、前記複数の薄肉部における前記鍵の配列方向の各幅が、１オクターブ分に相当する前記複数の鍵の配列範囲内において、低音側から高音側に向かうに従って次第に狭くなるように形成されていることを特徴とする請求項１に記載に鍵盤装置である。
【０００９】
請求項４に記載の発明は、前記複数の薄肉部の下面にそれぞれ当接して前記複数の薄肉部の撓み変形をそれぞれ規制するための複数の変形規制部を備えていることを特徴とする請求項１〜請求項３のいずれかに記載に鍵盤装置である。
【００１０】
請求項５に記載の発明は、前記複数の変形規制部が、前記複数の薄肉部に対する各変形規制力を低音側から高音側に向かうに従って小さくさせるように形成されていることを特徴とする請求項４に記載に鍵盤装置である。
【発明の効果】
【００１１】
この発明によれば、複数の薄肉部における鍵の配列方向の各幅を低音側から高音側に向かうに従って狭くするだけの簡単な構造で、複数の薄肉部の各曲げ弾性力を低音側から高音側に向かうに従って小さくすることができるので、この複数の薄肉部が押鍵操作に応じてそれぞれ撓み変形して複数の鍵がそれぞれ上下方向に回動する際に、低音側の鍵タッチ感よりも高音側の鍵タッチ感を軽くすることができる。
【図面の簡単な説明】
【００１２】
【図１】この発明を適用した鍵盤装置の実施形態１における要部を示した拡大平面図である。
【図２】図１の鍵盤装置のＡ−Ａ矢視における拡大断面図である。
【図３】図１の鍵盤装置において一部の鍵を取り外した状態を示した要部の拡大平面図である。
【図４】図１の鍵盤装置における複数の鍵のうち、１オクターブ分に相当する各鍵を白鍵ユニットと黒鍵ユニットとに分解した状態を示し、（ａ）はその白鍵ユニットを示した拡大平面図、（ｂ）はその黒鍵ユニットを示した拡大平面図である。
【図５】図１の鍵盤装置において複数のオクターブに亘って各鍵が音階順に配列された状態を示し、（ａ）はその各鍵の薄肉部における各幅を１オクターブ分ごとに低音側から高音側に向けて段階的に狭くした状態を示した平面図、（ｂ）はその各鍵にそれぞれ対応する複数の変形規制部の各変形規制力を１オクターブ分の範囲内において低音側から高音側に向けて徐々に小さくした状態を部分的に示した各変形規制部の平面図である。
【図６】図１の鍵盤装置において低音側から高音側に亘って配列された全ての鍵を押鍵操作した際における各鍵の反力の状態を示した図である。
【図７】実施形態１において複数の薄肉部に対する各変形規制部の各変形規制力を全てのオクターブに亘って低音側から高音側に向けて徐々に小さくした場合の変形例における各鍵のうち、その一部の鍵を取り外した状態を示した要部の拡大平面図である。
【図８】図７の鍵盤装置において複数のオクターブに亘って各鍵が音階順に配列された状態を示し、（ａ）はその各鍵の薄肉部における各幅を１オクターブ分ごとに低音側から高音側に向けて段階的に狭くした状態を示した平面図、（ｂ）はその各鍵にそれぞれ対応する複数の変形規制部の各変形規制力を全てのオクターブに亘って低音側から高音側に向けて徐々に小さくした状態を部分的に示した各変形規制部の平面図である。
【図９】この発明を適用した鍵盤装置の実施形態２において、複数の鍵における各薄肉部の各幅を１オクターブ分の範囲内において低音側から高音側に向けて徐々に狭くした場合の各鍵のうち、一部の鍵を取り外した状態を示した要部の拡大平面図である。
【図１０】図９の鍵盤装置において複数のオクターブに亘って各鍵が音階順に配列された状態を示し、（ａ）はその各鍵の薄肉部の各幅を１オクターブ分の範囲内において低音側から高音側に向けて徐々に狭くした状態を示した平面図、（ｂ）はその各鍵にそれぞれ対応する複数の変形規制部の各変形規制力を１オクターブ分ごとに低音側から高音側に向けて段階的に小さくした状態を部分的に示した各変形規制部の平面図である。
【図１１】この発明を適用した鍵盤装置の実施形態３において、複数の鍵における各薄肉部の各幅を全てのオクターブに亘って低音側から高音側に向けて徐々に狭くした場合の各鍵のうち、一部の鍵を取り外した状態を示した要部の拡大平面図である。
【図１２】図１１の鍵盤装置において複数のオクターブに亘って各鍵が音階順に配列された状態を示し、（ａ）はその各鍵における薄肉部の各幅を全てのオクターブに亘って低音側から高音側に向けて徐々に狭くした状態を示した平面図、（ｂ）はその各鍵にそれぞれ対応する複数の変形規制部の各変形規制力を全てのオクターブ分に亘って同じ大きさにした状態を部分的に示した各変形規制部の平面図である。
【図１３】この発明を適用した鍵盤装置の実施形態４において、複数の鍵における各薄肉部の各幅を１オクターブ分ごとに低音側から高音側に向けて段階的に狭くした場合の各鍵のうち、一部の鍵を取り外した状態を示した要部の拡大平面図である。
【図１４】図１３の鍵盤装置において複数のオクターブに亘って各鍵が音階順に配列された状態を示し、（ａ）はその各鍵における薄肉部の各幅を１オクターブ分ごとに低音側から高音側に向けて段階的に狭くした状態を示した平面図、（ｂ）はその各鍵にそれぞれ対応する複数の変形規制部の各変形規制力を１オクターブ分の範囲内において低音側から高音側に向けて徐々に小さくした状態を部分的に示した各変形規制部の平面図である。
【発明を実施するための形態】
【００１３】
（実施形態１）
以下、図１〜図６を参照して、この発明を適用した鍵盤装置の実施形態１について説明する。
この鍵盤装置は、図１および図２に示すように、楽器本体の下部ケースを構成する合成樹脂製の鍵盤シャーシ１を備えている。この鍵盤シャーシ１上には、白鍵２ａおよび黒鍵２ｂからなる複数の鍵２が音階順に配列されている。
【００１４】
この場合、鍵盤シャーシ１の前端部（図２では右端部）には、図２に示すように、前脚部３が底部から上方に突出して設けられており、この前脚部３の前側上部には、白鍵２ａの下限位置を規制するフェルトなどの白鍵ストッパ４が設けられている。また、この前脚部３の上部には、白鍵２ａの横振れを防ぐための白鍵ガイド部５が設けられている。この前脚部３の後側（図２では左側）には、補助脚部６が前脚部３とほぼ同じ高さで、底部から上方に突出して設けられており、この補助脚部６の上部には、黒鍵２ｂの下限位置を規制するフェルトなどの黒鍵ストッパ７が設けられている。
【００１５】
この補助脚部６の後部側（図２では左側）には、図２に示すように、中間脚部８が前脚部３よりも少し高い高さで、底部から上方に突出して設けられている。この中間脚部８の上部には、中間支持部９が設けられている。この中間支持部９の下面には、鍵２の下部に設けられたフック部１０が下側から当接することにより、鍵２の上限位置を規制するフェルトなどの上限ストッパ１１が設けられている。さらに、この中間支持部９の後部側には、基板搭載部１２が中間支持部９とほぼ同じ高さで設けられている。この基板搭載部１２の前部側には、黒鍵２ｂの横振れを防ぐための黒鍵ガイド部１３が設けられている。
【００１６】
また、この基板搭載部１２上には、図２に示すように、鍵２の配列方向に沿って連続するスイッチ基板１４が取り付けられている。このスイッチ基板１４には、ゴムスイッチ１５が各鍵２に対応して設けられている。さらに、この基板搭載部１２の後端部（図２では左端部）には、図２に示すように、各鍵２の後端部、つまり後述する鍵２の共通連結部１９を支持する鍵支持部１６が設けられている。この鍵支持部１６の後端部には、後脚部１７が底部に向けて垂下された状態で設けられている。
【００１７】
一方、複数の鍵２は、図２および図３に示すように、その各後端部に上下方向に撓み変形する薄肉部１８がそれぞれ一体に形成され、この各薄肉部１８がそれぞれ鍵２の配列方向に連続する共通連結部１９に一体に形成され、この共通連結部１９が鍵盤シャーシ１の鍵支持部１６上に取り付けられることにより、音階順に配列されるように構成されている。これにより、複数の鍵２は、それぞれ押鍵操作されると、各薄肉部１８がそれぞれ撓み変形することにより、上下方向にそれぞれ回動するように構成されている。
【００１８】
また、この複数の鍵２の各中間部には、図２に示すように、それぞれゴムスイッチ１５を押圧するための各スイッチ押圧部２０が下側に向けて突出して設けられている。この場合、ゴムスイッチ１５は、スイッチ基板１４上に配置されたゴムシートを備え、このゴムシートにドーム状の膨出部を各スイッチ押圧部２０にそれぞれ対応させて形成した構成になっている。
【００１９】
これにより、ゴムスイッチ１５は、ゴムシートの各膨出部が各鍵２のスイッチ押圧部２０によってそれぞれ押圧された際に、各膨出部がそれぞれ弾性変形して、その内部の可動接点がスイッチ基板１４上の固定接点に接触することにより、オン信号を出力するように構成されている。この場合、ゴムシートの各膨出部は、全ての鍵２に対する各弾性力が全て同じ強さになるように構成されている。
【００２０】
ところで、複数の鍵２は、図３および図４に示すように、１オクターブ分ごとに鍵ユニットとして一体的に形成されている。すなわち、１オクターブ分の鍵２に相当する鍵ユニットは、図４（ａ）および図４（ｂ）に示すように、白鍵２ａのみが一体に形成された白鍵ユニット２１と、黒鍵２ｂのみが一体に形成された黒鍵ユニット２２とで構成されている。
【００２１】
白鍵ユニット２１は、図４（ａ）に示すように、白鍵用の共通連結部１９ａが１オクターブ分の鍵２の配列長さで形成され、この白鍵用の共通連結部１９ａに１オクターブ分の白鍵２ａが、音階順に配列された状態でそれぞれ薄肉部１８を介して一体に形成された構成になっている。黒鍵ユニット２２は、図４（ｂ）に示すように、黒鍵用の共通連結部１９ｂが白鍵用の共通連結部１９ａと同様に形成され、この黒鍵用の共通連結部１９ｂに１オクターブ分の黒鍵２ｂが、音階順に配列された状態でそれぞれ薄肉部１８を介して一体に形成された構成になっている。
【００２２】
そして、これら白鍵ユニット２１と黒鍵ユニット２２とは、複数の白鍵２ａの間に各黒鍵２ｂを配置して、白鍵用の共通連結部１９ａと黒鍵用の共通連結部１９ｂとを重ね合わせ、この状態で図２に示すように共通連結部１９（１９ａ、１９ｂ）として鍵盤シャーシ１の鍵支持部１６上にビス止めされることにより、図１に示すように、１オクターブ分の鍵ユニットとして鍵盤シャーシ１上に取り付けられるように構成されている。
【００２３】
この場合、複数の鍵２の各薄肉部１８は、図５（ａ）に示すように、１オクターブ分ごとに、鍵２の配列方向の各幅が低音側から高音側に向かうに従って段階的に狭くなるように形成されている。これにより、複数の薄肉部１８は、図６に点線で示すように、その各曲げ弾性力（鍵２の反力）が１オクターブ分ごとに、低音側から高音側に向かうに従って段階的に小さくなるように構成されている。
【００２４】
すなわち、低音側の最初の１オクターブ分に相当する複数の鍵２における各薄肉部１８の各幅Ｗ１は、図５（ａ）に示すように、各鍵２の幅とほぼ同じ大きさに形成されている。また、低音側の次の１オクターブ分、つまり低音側から２番目の１オクターブ分に相当する複数の鍵２における各薄肉部１８の各幅Ｗ２は、最初の１オクターブ分に相当する各薄肉部１８の各幅Ｗ１よりも少し狭く（Ｗ２＜Ｗ１）形成されている。
【００２５】
同様に、低音側から３番目の１オクターブ分に相当する複数の鍵２における各薄肉部１８の各幅Ｗ３は、２番目の１オクターブ分に相当する各薄肉部１８の各幅Ｗ２よりも少し狭く（Ｗ３＜Ｗ２＜Ｗ１）形成されている。さらに、低音側から４番目の１オクターブ分に相当する複数の鍵２における各薄肉部１８の各幅Ｗ４は、３番目の１オクターブ分に相当する各薄肉部１８の各幅Ｗ３よりも少し狭く（Ｗ４＜Ｗ３＜Ｗ２＜Ｗ１）形成されている。
【００２６】
これにより、最初の１オクターブ分の各薄肉部１８は、図６に点線で示すように、その各曲げ弾性力である反力が、次に位置する２番目の１オクターブ分における各薄肉部１８の各曲げ弾性力である反力よりも大きく形成されている。また、２番目の１オクターブ分の各薄肉部１８は、その各曲げ弾性力である反力が、３番目の１オクターブ分における各薄肉部１８の各曲げ弾性力である反力よりも大きく形成されている。同様に、３番目の１オクターブ分の各薄肉部１８は、その各曲げ弾性力である反力が、４番目の１オクターブ分における各薄肉部１８の各曲げ弾性力である反力よりも大きく形成されている。
【００２７】
また、この鍵盤シャーシ１には、図２および図３に示すように、全ての鍵２の各薄肉部１８にそれぞれ下側から当接して各薄肉部１８の撓み変形をそれぞれ規制するための複数の変形規制部２３が設けられている。この複数の変形規制部２３は、図３および図５（ｂ）に示すように、各薄肉部１８にそれぞれ対応して独立した状態で上下方向に弾性変形するように形成されている。
【００２８】
すなわち、複数の変形規制部２３は、図３および図５（ｂ）に示すように、その各弾性力である各変形規制力が、１オクターブ分に相当する複数の鍵２の範囲内（つまり鍵ユニット内）において、低音側から高音側に向けて次第に小さくなるように、各変形規制部２３の両側に位置する各スリット溝２４の長さ、つまり鍵２の長手方向（図１では前後方向）におけるスリット溝２４の各長さが、低音側から高音側に向かうに従って次第に長くなるように形成されている。
【００２９】
この場合、図５（ａ）に示す低音側の最初の１オクターブ分に相当する複数の鍵２における最も高音側に位置する鍵２ｎ１と、低音側から２番目の１オクターブ分に相当する複数の鍵２における最も低音側に位置する鍵２ｎ２とは、図５（ｂ）および図６に示すように、その押鍵時における鍵２ｎ２の全体の反力が、鍵２ｎ１の全体の反力よりも小さくなるように、各変形規制部２３の各弾性力である各変形規制力が設定されている。
【００３０】
すなわち、低音側から２番目の１オクターブ分に相当する複数の鍵２における各薄肉部１８の各幅Ｗ２が、低音側の最初の１オクターブ分に相当する複数の鍵２における各薄肉部１８の各幅Ｗ１よりも狭く形成されていることにより、押鍵時における鍵２ｎ２の薄肉部１８の反力が鍵２ｎ１の薄肉部１８の反力よりも小さい。
【００３１】
このため、鍵２ｎ２に対応するスリット溝２４の長さＬ２は、図５（ｂ）および図６に示すように、その押鍵時における鍵２ｎ２の全体の反力が、鍵２ｎ１の全体の反力よりも小さくなる範囲内において、鍵２ｎ１に対応するスリット溝２４の長さＬ１よりも短く（Ｌ２＜Ｌ１）形成されている。
【００３２】
同様に、低音側から２番目の１オクターブ分に相当する複数の鍵２における最も高音側に位置する鍵２ｎ３と、低音側から３番目の１オクターブ分に相当する複数の鍵２における最も低音側に位置する鍵２ｎ４とは、図５（ｂ）および図６に示すように、その押鍵時における鍵２ｎ４の全体の反力が鍵２ｎ３の全体の反力よりも小さくなるように、各変形規制部２３の各弾性力である各変形規制力が設定されている。
【００３３】
このため、鍵２ｎ４に対応する変形規制部２３のスリット溝２４の長さＬ４は、図５（ｂ）に示すように、その押鍵時における鍵２ｎ４の全体の反力が、鍵２ｎ３の全体の反力よりも小さくなる範囲内において、鍵２ｎ３に対応する変形規制部２３のスリット溝２４の長さＬ３よりも短く（Ｌ４＜Ｌ３）形成されている。
【００３４】
さらに、低音側から３番目の１オクターブ分に相当する複数の鍵２における最も高音側に位置する鍵２ｎ５と、低音側から４番目の１オクターブ分に相当する複数の鍵２における最も低音側に位置する鍵２ｎ６とは、図５（ｂ）および図６に示すように、その押鍵時における鍵２ｎ６の全体の反力が鍵２ｎ５の全体の反力よりも小さくなるように、各変形規制部２３の各弾性力である各変形規制力が設定されている。
【００３５】
このため、鍵２ｎ６に対応する変形規制部２３のスリット溝２４の長さＬ６は、図５（ｂ）に示すように、その押鍵時における鍵２ｎ６の全体の反力が、鍵２ｎ５の全体の反力よりも小さくなる範囲内において、鍵２ｎ５に対応する変形規制部２３のスリット溝２４の長さＬ５よりも短く（Ｌ６＜Ｌ５）形成されている。
【００３６】
このように、この鍵盤装置によれば、音階順に配列された複数の鍵２の各後端部にそれぞれ上下方向に撓み変形する複数の薄肉部１８を設け、この複数の薄肉部１８における鍵２の配列方向の各幅を低音側から高音側に向かうに従って狭くするだけの簡単な構造で、複数の薄肉部１８の各曲げ弾性力を低音側から高音側に向かうに従って小さくすることができる。これにより、複数の薄肉部１８が押鍵操作に応じてそれぞれ撓み変形して複数の鍵２がそれぞれ上下方向に回動する際に、低音側の鍵タッチ感よりも、高音側の鍵タッチ感を軽くすることができる。
【００３７】
この場合、複数の薄肉部１８は、鍵２の配列方向の各幅が、１オクターブ分に相当する複数の鍵２の配列単位（１オクターブ分の鍵ユニット）ごとに、低音側から高音側に向かうに従って段階的に狭くなるように形成されていることにより、複数の薄肉部１８における各曲げ弾性力を、１オクターブ分に相当する複数の鍵２の配列単位ごとに、低音側から高音側に向かうに従って段階的に小さくなるように、変化させることができるので、１オクターブ分ごとに、低音側の鍵タッチ感よりも高音側の鍵タッチ感を段階的に軽くすることができる。
【００３８】
また、この鍵盤装置では、複数の薄肉部１８の各下面にそれぞれ当接して各薄肉部１８の撓み変形をそれぞれ規制するための複数の変形規制部２３を備えているので、この複数の変形規制部２３によって各薄肉部１８の撓み変形をそれぞれ規制することにより、各薄肉部１８に対する各変形規制力を低音側から高音側に向かうに従って変化させることができる。
【００３９】
すなわち、複数の変形規制部２３は、複数の薄肉部１８に対する各変形規制力が低音側から高音側に向かうに従って小さくなるように形成されていることにより、この複数の変形規制部２３によって各薄肉部１８に対する各変形規制力を、低音側から高音側に向かうに従って小さくすることができるので、複数の薄肉部１８の段階的に異なる各曲げ弾性力と複数の変形規制部２３の各変形規制力との両者によって、図６に示すように、より一層、低音側の鍵タッチ感よりも高音側の鍵タッチ感を軽くすることができる。
【００４０】
この場合、複数の変形規制部２３は、その各両側に位置する各スリット溝２４の各長さが、１オクターブ分の鍵２の配列範囲内において、低音側から高音側に向かうに従って次第に長くなるように形成されていることにより、複数の変形規制部２３の各変形規制力を１オクターブ分の鍵２の配列範囲内において、低音側から高音側に向けて次第に小さくすることができる。このため、１オクターブごとに段階的に異なる各薄肉部１８の各曲げ弾性力と複数の変形規制部２３の各変形規制力との両者によって、図６に示すように、低音側の鍵タッチ感よりも高音側の鍵タッチ感が徐々に軽くなるように、きめ細かく変化させることができる。
【００４１】
なお、前述した実施形態１では、複数の変形規制部２３の各両側に位置するスリット溝２４の各長さを、１オクターブ分に相当する複数の鍵２の配列範囲内において、低音側から高音側に向かうに従って次第に長くなるように形成した場合について述べたが、これに限らず、例えば図７および図８に示す変形例のように、全てのオクターブに相当する全て鍵２の配列に亘って、各スリット溝２４の各長さを低音側から高音側に向かうに従って次第に長くなるように形成した構成でも良い。
【００４２】
このように構成すれば、全てのオクターブに亘って各変形規制部２３の各変形規制力を低音側から高音側に向かうに従って徐々に小さくすることができるので、低音側の鍵タッチ感よりも高音側の鍵タッチ感を徐々に軽くすることができ、このため実施形態１よりも、鍵タッチ感を更にきめ細かく変化させることができる。
【００４３】
（実施形態２）
次に、図９および図１０を参照して、この発明を適用した鍵盤装置の実施形態２について説明する。なお、図１〜図６に示された実施形態１と同一部分には同一符号を付して説明する。
この鍵盤装置は、図９および図１０（ａ）に示すように、１オクターブ分に相当する複数の鍵２の配列範囲内における各薄肉部２６の各幅を音階順に変化させた構成であり、これ以外は実施形態１とほぼ同じ構成になっている。
【００４４】
すなわち、１オクターブ分に相当する複数の鍵２の配列範囲内（つまり１オクターブの鍵ユニット）における各薄肉部２６は、図９および図１０（ａ）に示すように、鍵２の配列方向における各幅が、低音側から高音側に向かうに従って徐々に狭くなるように形成されている。これにより、１オクターブ分の各薄肉部２６は、その各曲げ弾性力が１オクターブの範囲内において、低音側から高音側に向かうに従って徐々に小さくなるように構成されている。
【００４５】
この場合、低音側に位置する最初の１オクターブ分に相当する複数の鍵２の配列範囲内における各薄肉部２６と、低音側から２番目に位置する１オクターブ分に相当する複数の鍵２の配列範囲内における各薄肉部２６と、低音側から３番目に位置する１オクターブ分に相当する複数の鍵２の配列範囲内における各薄肉部２６と、低音側から４番目に位置する１オクターブ分に相当する複数の鍵２の配列範囲内における各薄肉部２６とは、全て同じ構成になっている。
【００４６】
一方、複数の鍵２における各薄肉部２６の下側にそれぞれ対応して配置された複数の変形規制部２７は、図９および図１０（ｂ）に示すように、１オクターブ分の配列に相当する複数の鍵２の配列単位（つまり１オクターブの鍵ユニット）ごとに、低音側から高音側に向かうに従って各薄肉部２６に対する各変形規制力が段階的に小さくなるように構成されている。すなわち、この複数の変形規制部２７は、その各両側に位置する各スリット溝２８の各長さが、１オクターブごとに低音側から高音側に向かうに従って段階的に長くなるように形成されている。
【００４７】
この場合、低音側の最初の１オクターブ分に相当する複数の薄肉部２６にそれぞれ対応する各変形規制部２７の各スリット溝２８は、図１０（ｂ）に示すように、その各長さがＬ１に形成されている。また、低音側から２番目の１オクターブ分に相当する複数の薄肉部２６にそれぞれ対応する各変形規制部２７の各スリット溝２８は、その各長さＬ２が最初の１オクターブに相当する各スリット溝２８の各長さＬ１よりも、少し長く（Ｌ２＞Ｌ１）形成されている。
【００４８】
同様に、低音側の３番目の１オクターブ分に相当する複数の薄肉部２６にそれぞれ対応する各変形規制部２７の各スリット溝２８は、その各長さＬ３が２番目の１オクターブに相当する各スリット溝２８の各長さＬ２よりも、少し長く（Ｌ３＞Ｌ２＞Ｌ１）形成されている。さらに、低音側から４番目の１オクターブ分に相当する複数の薄肉部２６にそれぞれ対応する各変形規制部２７の各スリット溝２８は、その各長さＬ４が３番目の１オクターブに相当する各スリット溝２８の各長さＬ３よりも、少し長く（Ｌ４＞Ｌ３＞Ｌ２＞Ｌ１）形成されている。
【００４９】
これにより、複数の変形規制部２７は、低音側に位置する１オクターブ分の各薄肉部２６に対する各変形規制力よりも、高音側に位置する１オクターブ分の各薄肉部２６に対する各変形規制力が、段階的に小さくなるように構成されている。この結果、複数の鍵２は、実施形態１と同様、押鍵時における各鍵２ごとの全体の反力が低音側から高音側に向かうに従って徐々に小さくなるように構成されている。
【００５０】
このような鍵盤装置によれば、複数の薄肉部２６における鍵２の配列方向の各幅が、１オクターブ分に相当する複数の鍵２の配列範囲内において、低音側から高音側に向かうに従って次第に狭く形成されているので、実施形態１と同様、簡単な構造で、複数の薄肉部２６における各曲げ弾性力を低音側から高音側に向かうに従って徐々に小さくすることができ、これにより低音側の鍵タッチ感よりも、高音側の鍵タッチ感を徐々に軽くすることができる。
【００５１】
また、この鍵盤装置においても、複数の薄肉部２６の各下面にそれぞれ当接して各薄肉部２６の撓み変形をそれぞれ規制するための複数の変形規制部２７を備えているので、この複数の変形規制部２７によって各薄肉部２６の撓み変形を規制することにより、各薄肉部２６に対する各変形規制力を低音側から高音側に向かうに従って変化させて、各鍵タッチ感を低音側から高音側に向かうに従って軽くすることができる。
【００５２】
すなわち、この複数の変形規制部２７は、その各両側に位置する各スリット溝２８の各長さが、低音側から高音側に向かうに従って、１オクターブ分ごとに段階的に長くなるように形成されていることにより、各変形規制部２７の各弾性力である各変形規制力を１オクターブ分ごとに低音側から高音側に向けて段階的に小さくすることができ、このため低音側の鍵タッチ感よりも、高音側の鍵タッチ感を徐々に軽くすることができると共に、各薄肉部２６の各曲げ弾性力と各変形規制部２７の各変形規制力との両者によって、鍵タッチ感をきめ細かく変化させることができる。
【００５３】
（実施形態３）
次に、図１１および図１２を参照して、この発明を適用した鍵盤装置の実施形態３について説明する。この場合にも、図１〜図６に示された実施形態１と同一部分には同一符号を付して説明する。
この鍵盤装置は、図１１および図１２（ａ）に示すように、複数のオクターブ分に亘る全ての鍵２における各薄肉部３０の各幅を全て音階順に徐々に変化させた構成であり、これ以外は実施形態１とほぼ同じ構成になっている。
【００５４】
すなわち、鍵盤シャーシ１上に音階順に配列された全ての鍵２に対する各薄肉部３０は、図１１および図１２（ａ）に示すように、全ての鍵２の配列方向における各幅が、低音側から高音側に向かうに従って徐々に狭くなるように形成されている。これにより、全ての鍵２の各薄肉部３０は、その各曲げ弾性力が低音側から高音側に向かうに従って徐々に小さくなるように構成されている。
【００５５】
一方、複数の鍵２における各薄肉部３０の下側に配置された複数の変形規制部３１は、図１１および図１２（ｂ）に示すように、低音側から高音側に亘って各薄肉部３０に対する各変形規制力が一定になるように構成されている。すなわち、この複数の変形規制部３１は、その各両側に位置する各スリット溝３２の各長さが、低音側から高音側に亘って全て同じ長さで形成されている。
【００５６】
このような鍵盤装置によれば、複数の薄肉部３０における鍵２の配列方向の各幅が、鍵盤シャーシ１上に音階順に配列された全ての鍵２において、低音側から高音側に向かうに従って次第に狭く形成されているので、実施形態１と同様、簡単な構造で、複数の薄肉部３０における各曲げ弾性力を低音側から高音側に向かうに従って徐々に小さくすることができ、これにより低音側の鍵タッチ感よりも高音側の鍵タッチ感を徐々に軽くすることができる。
【００５７】
この場合、全ての薄肉部３０の各下面にそれぞれ当接して各薄肉部３０の撓み変形をそれぞれ規制するための複数の変形規制部３１は、低音側から高音側に亘って各薄肉部３０に対する各変形規制力が一定になるように、各変形規制部３０の両側に位置する各スリット溝３２の各長さを低音側から高音側に亘って全て同じ長さで形成すれば良いので、複数の変形規制部３１の構造が簡単になり、容易に製作することができる。
【００５８】
また、この鍵盤装置では、全ての薄肉部３０の撓み変形をそれぞれ規制するための複数の変形規制部３１が、低音側から高音側に亘って各薄肉部３０に対する各変形規制力を一定にした構成であることにより、必ずしも複数の変形規制部３１を設けなくても、低音側の鍵タッチ感よりも高音側の鍵タッチ感を徐々に軽くすることができるので、より一層、構造の簡素化を図ることができる。
【００５９】
なお、前述した実施形態３では、全ての薄肉部３０の各下面にそれぞれ当接して各薄肉部３０の撓み変形をそれぞれ規制する複数の変形規制部３１の各変形規制力が、低音側から高音側に亘って一定にした場合について述べたが、これに限らず、例えば全ての鍵２における各薄肉部３０の撓み変形をそれぞれ規制する複数の変形規制部の各変形規制力を、低音側から高音側に向かうに従って徐々に小さくなるように構成しても良い。
【００６０】
すなわち、この複数の変形規制部は、その各両側に位置する各スリット溝の各長さを、全ての鍵２に対して低音側から高音側に向かうに従って次第に長くなるように形成すれば良い。このように構成すれば、複数の変形規制部による各変形規制力と各薄肉部３０による各曲げ弾性力との両者によって、より一層、鍵タッチ感を低音側から高音側に向かうに従って徐々に軽くなるように、きめ細かく変化させることができる。
【００６１】
（実施形態４）
次に、図１３および図１４を参照して、この発明を適用した鍵盤装置の実施形態４について説明する。この場合にも、図１〜図６に示された実施形態１と同一部分には同一符号を付して説明する。
この鍵盤装置は、図１３および図１４（ａ）に示すように、複数の鍵２の各薄肉部１８を実施形態１と同様に形成し、この複数の薄肉部１８にそれぞれ当接する各変形規制部３５の各当接位置を変えて、各薄肉部１８の各変形状態を低音側から高音側に向けて変化させた構成であり、これ以外は実施形態１とほぼ同じ構成になっている。
【００６２】
すなわち、複数の鍵２の各薄肉部１８は、実施形態１と同様、鍵２の配列方向の各幅が１オクターブ分ごとに、低音側から高音側に向かうに従って段階的に狭くなるように形成されている。これにより、複数の鍵２の各薄肉部１８は、図１４(ａ)に示すように、その各曲げ弾性力が１オクターブ分ごとに、低音側から高音側に向かうに従って段階的に小さくなるように構成されている。
【００６３】
この場合、低音側の最初の１オクターブ分に相当する複数の薄肉部１８の各幅Ｗ１は、鍵２の幅と同じ幅で形成されており、低音側から２番目の１オクターブ分に相当する複数の薄肉部１８の各幅Ｗ２は、低音側の最初の１オクターブ分に相当する複数の薄肉部１８の各幅Ｗ１よりも少し狭く（Ｗ２＜Ｗ１）に形成されている。
【００６４】
また、低音側から３番目の１オクターブ分に相当する複数の薄肉部１８の各幅Ｗ３は、低音側から２番目の１オクターブ分に相当する複数の薄肉部１８の各幅Ｗ２よりも少し狭く（Ｗ３＜Ｗ２＜Ｗ１）に形成されている。同様に、低音側から４番目の１オクターブ分に相当する複数の薄肉部１８の各幅Ｗ４は、低音側から３番目の１オクターブ分に相当する複数の薄肉部１８の各幅Ｗ３よりも少し狭く（Ｗ４＜Ｗ３＜Ｗ２＜Ｗ１）に形成されている。
【００６５】
一方、複数の変形規制部３５は、図１３および図１４（ｂ）に示すように、全ての鍵２の各薄肉部１８に当接する各当接位置が１オクターブの範囲内において、低音側から高音側に向かうに従って次第に変化するように構成されている。この場合、複数の変形規制部３５は、その各弾性力が全ての鍵２の各薄肉部１８に対して低音側から高音側に亘って同じ大きさになるように、各スリット溝３６の長さが全て同じ長さに形成されている。
【００６６】
すなわち、複数の変形規制部３５は、その各薄肉部１８に対する各変形規制力を１オクターブ分の鍵２の範囲内において、低音側から高音側に向けて次第に小さくするために、各薄肉部１８に対する各変形規制部３５の各当接位置が、薄肉部１８の後側（図１４（ｂ）では上部側）から前側（図１４（ｂ）では手前側）に向けて徐々にずれるように構成されている。
【００６７】
この場合、図１４（ａ）に示す低音側の最初の１オクターブ分に相当する複数の鍵２における最も高音側に位置する鍵２ｎ１と、低音側の２番目の１オクターブ分に相当する複数の鍵２における最も低音側に位置する鍵２ｎ２とは、図１４（ｂ）に示すように、その押鍵時における鍵２ｎ２の全体の反力が、鍵２ｎ１の全体の反力よりも小さくなるように、その両者の各変形規制部３５の各当接位置Ｐ１、Ｐ２が設定されている。
【００６８】
すなわち、低音側から２番目の１オクターブ分に相当する複数の薄肉部１８の各幅Ｗ２が、低音側の最初の１オクターブ分に相当する複数の薄肉部１８の各幅Ｗ１よりも狭く形成され、これにより押鍵時における鍵２ｎ２の薄肉部１８の反力が、鍵２ｎ１の薄肉部１８の反力よりも小さい。
【００６９】
このため、鍵２ｎ２に対応する変形規制部３５の当接位置Ｐ２は、その押鍵時における鍵２ｎ２の全体の反力が、鍵２ｎ１の全体の反力よりも小さくなる範囲内において、鍵２ｎ１に対応する変形規制部３５の当接位置Ｐ１よりも鍵２の後部側（図１４（ｂ）では上部側）に位置するように設定されている。
【００７０】
同様に、低音側から２番目の１オクターブ分に相当する複数の鍵２における最も高音側に位置する鍵２ｎ３と、低音側から３番目の１オクターブ分に相当する複数の鍵２における最も低音側に位置する鍵２ｎ４とは、その押鍵時における鍵２ｎ４の全体の反力が、鍵２ｎ３の全体の反力よりも小さくなるように、各変形規制部３５が形成されている。
【００７１】
このため、鍵２ｎ４に対応する変形規制部３５の当接位置Ｐ４は、その押鍵時における鍵２ｎ４の全体の反力が、鍵２ｎ３の全体の反力よりも小さくなる範囲内において、鍵２ｎ３に対応する変形規制部３５の当接位置Ｐ３よりも鍵２の後部側（図１４（ｂ）では上部側）に位置するように設定されている。
【００７２】
さらに、低音側から３番目の１オクターブ分に相当する複数の鍵２における最も高音側に位置する鍵２ｎ５と、低音側から４番目の１オクターブ分に相当する複数の鍵２における最も低音側に位置する鍵２ｎ６とは、その押鍵時における鍵２ｎ６の全体の反力が、鍵２ｎ５の全体の反力よりも小さくなるように、各変形規制部３５が形成されている。
【００７３】
このため、鍵２ｎ６に対応する変形規制部３５の当接位置Ｐ６は、その押鍵時における鍵２ｎ６の反力が、鍵２ｎ５の反力よりも小さくなる範囲内において、鍵２ｎ５に対応する変形規制部３５の当接位置Ｐ５よりも鍵２の後部側（図１４（ｂ）では上部側）に位置するように設定されている。
【００７４】
このような鍵盤装置によれば、実施形態１と同様、音階順に配列された複数の鍵２の各後端部にそれぞれ上下方向に撓み変形可能に設けられた各薄肉部１８における鍵２の配列方向の各幅が、１オクターブ分に相当する複数の鍵２の配列単位（１オクターブの鍵ユニット）ごとに、低音側から高音側に向かうに従って段階的に狭くなるように形成されていることにより、複数の薄肉部１８における各曲げ弾性力を１オクターブ分ごとに、低音側から高音側に向かうに従って段階的に小さくすることができるので、低音側の鍵タッチ感よりも高音側の鍵タッチ感を段階的に軽くすることができる。
【００７５】
この場合、複数の薄肉部１８の各下面に当接して各薄肉部１８の撓み変形をそれぞれ規制する複数の変形規制部３５は、各薄肉部１８に対する各変形規制力が、１オクターブ分の範囲内において、低音側から高音側に向かうに従って次第に小さく形成されていることにより、この各変形規制部３５による各変形規制力によっても、低音側の鍵タッチ感よりも高音側の鍵タッチ感を軽くすることができる。
【００７６】
すなわち、この複数の変形規制部３５は、各薄肉部１８に当接する各当接位置が、１オクターブ分の範囲内において、低音側から高音側に向かうに従って次第に変化するように形成されていることにより、各薄肉部１８に対する各変形規制力を１オクターブ分の範囲内において、低音側から高音側に向けて次第に小さくすることができるので、低音側の鍵タッチ感よりも高音側の鍵タッチ感が徐々に軽くなるように、各薄肉部１８の各曲げ弾性力と各変形規制部３５の各変形規制力との両者によって、鍵タッチ感をきめ細かく変化させることができる。
【００７７】
なお、前述した実施形態１〜４およびその各変形例では、複数の鍵２を４オクターブ分だけ音階順に配列した構成である場合について述べたが、必ずしも４オクターブ分である必要はなく、２オクターブ分であっても良く、また３オクターブ分であっても良く、さらに５オクターブ分以上の鍵２を音階順に配置させた構成であっても良い。
【００７８】
また、前述した実施形態１〜４およびその各変形例では、押鍵操作時に薄肉部１８およびゴムスイッチ１５が弾性変形することにより、鍵２に反力を付与する簡易型の鍵盤装置に適用した場合について述べたが、必ずしも簡易型の鍵盤装置である必要はなく、例えば押鍵操作時に各鍵にそれぞれアクション荷重を付与するための複数のハンマー部材を備えた鍵盤装置にも適用することができる。
【符号の説明】
【００７９】
１  鍵盤シャーシ
２  鍵
２ａ  白鍵
２ｂ  黒鍵
１８、２６、３０  薄肉部
１９  共通連結部
２１  白鍵ユニット
２２  黒鍵ユニット
２３、２７、３１、３５  変形規制部
２４、２８、３２、３６  スリット溝
Ｗ１、Ｗ２、Ｗ３、Ｗ４  鍵の配列方向の幅
Ｌ１、Ｌ２、Ｌ３、Ｌ４  スリット溝の長さ
Ｐ１、Ｐ２、Ｐ３、Ｐ４  薄肉部に対する変形規制部の当接位置
【図１】
2010271625.tif 000003
【図２】
2010271625.tif 000004
【図３】
2010271625.tif 000005
【図４】
2010271625.tif 000006
【図５】
2010271625.tif 000007
【図６】
2010271625.tif 000008
【図７】
2010271625.tif 000009
【図８】
2010271625.tif 000010
【図９】
2010271625.tif 000011
【図１０】
2010271625.tif 000012
【図１１】
2010271625.tif 000013
【図１２】
2010271625.tif 000014
【図１３】
2010271625.tif 000015
【図１４】
2010271625.tif 000016